【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
被写体に放射線を照射して得られる動画像を構成する第１フレーム画像における放射線の照射野領域から被写体が存在する被写体領域を抽出する第１抽出手段と、
前記第１フレーム画像の直後の第２フレーム画像において、当該第２フレーム画像内における前記被写体領域に対応する領域から、画像の特徴を示す第１特徴量を算出する対象となる関心領域を抽出する第２抽出手段と、
前記第２フレーム画像の直後の第３フレーム画像において、当該第３フレーム画像内における前記関心領域に対応する領域から、前記第３フレーム画像の関心領域の前記第１特徴量を算出する第１算出手段と、
前記第１算出手段により算出された前記第１特徴量に基づく制御信号を出力する出力手段と、
を備えることを特徴とする放射線画像処理装置。
【請求項２】
前記放射線が照射された被写体の動画像を撮像する撮像手段をさらに備えることを特徴とする請求項１に記載の放射線画像処理装置。
【請求項３】
前記出力手段により出力された前記制御信号に基づいて、前記放射線の照射を行う放射線発生手段の照射野領域、又は照射量を制御する放射線制御手段をさらに備えることを特徴とする請求項１又は２に記載の放射線画像処理装置。
【請求項４】
前記第１算出手段は、前記関心領域に基づいて、当該関心領域の位置、大きさ、形状、平均輝度値、最大輝度値、最小輝度値、重心位置、輝度値の分散又は標準偏差、の少なくとも１つを前記第１特徴量として算出することを特徴とする請求項１乃至３の何れか１項に記載の放射線画像処理装置。
【請求項５】
前記第１算出手段により算出された前記第１特徴量に基づいて、フレーム画像の画像処理を行う処理手段と、
前記処理手段による画像処理の結果を表示する表示手段と、
をさらに備えることを特徴とする請求項１乃至４の何れか１項に記載の放射線画像処理装置。
【請求項６】
動画像を構成するフレーム画像ごとに、当該フレーム画像における予め定められた領域の特徴を示す第２特徴量を算出する第２算出手段をさらに備え、
前記第１算出手段による前記第１特徴量の算出処理が完了していない場合に、
前記放射線制御手段は、前記第２算出手段により算出された前記第２特徴量に基づいて前記放射線発生手段の照射野領域、又は照射量を制御することを特徴とする請求項３に記載の放射線画像処理装置。
【請求項７】
前記第２特徴量は、前記予め定められた領域の平均輝度値、最大輝度値、最小輝度値、輝度値の分散又は標準偏差、の少なくとも１つであることを特徴とする請求項６に記載の放射線画像処理装置。
【請求項８】
前記動画像に生じる動きを検出する検出手段をさらに備え、
前記検出手段により動画像に動きが検出された場合に、前記第１抽出手段による被写体領域の抽出処理からやり直すことを特徴とする請求項１乃至７の何れか１項に記載の放射線画像処理装置。
【請求項９】
前記第１フレーム画像の直前のフレーム画像における照射野領域を抽出する第４抽出手段をさらに備え、
前記フレーム画像の直後の前記第１フレーム画像において、前記第４抽出手段により抽出された照射野領域に対応する領域を前記第１フレーム画像における放射線の照射野領域とすることを特徴とする請求項１乃至７の何れか１項に記載の放射線画像処理装置。
【請求項１０】
前記動画像に生じる動きを検出する検出手段をさらに備え、
前記検出手段により動画像に動きが検出された場合に、前記第４抽出手段による照射野領域の抽出処理からやり直すことを特徴とする請求項９に記載の放射線画像処理装置。
【請求項１１】
前記検出手段は、前記動画像を構成する複数のフレーム画像の輝度の差分値を算出し、当該差分値の総和と閾値とを比較し、前記差分値の総和が前記閾値よりも大きい場合に動きが発生したことを検出することを特徴とする請求項８又は１０に記載の放射線画像処理装置。
【請求項１２】
放射線照射を行う放射線発生手段と、
前記放射線照射された被写体の動画像を撮像する撮像手段と、
請求項１に記載の放射線画像処理装置と、
を備えることを特徴とする放射線撮影システム。
【請求項１３】
放射線画像処理装置の制御方法であって、
第１抽出手段が、被写体に放射線を照射して得られる動画像を構成する第１フレーム画像における放射線の照射野領域から被写体が存在する被写体領域を抽出する第１抽出工程と、
第２抽出手段が、前記第１フレーム画像の直後の第２フレーム画像において、当該第２フレーム画像内における前記被写体領域に対応する領域から、画像の特徴を示す第１特徴量を算出する対象となる関心領域を抽出する第２抽出工程と、
第１算出手段が、前記第２フレーム画像の直後の第３フレーム画像において、当該第３フレーム画像内における前記関心領域に対応する領域から、前記第３フレーム画像の関心領域の前記第１特徴量を算出する第１算出工程と、
出力手段が、前記第１算出工程により算出された前記第１特徴量に基づく制御信号を出力する出力工程と、
を備えることを特徴とする放射線画像処理装置の制御方法。
【請求項１４】
請求項１３に記載の放射線画像処理装置の制御方法の各工程をコンピュータに実行させるためのプログラム。
【請求項１５】
被写体に放射線を照射して得られる動画像に含まれる第１フレーム画像における放射線の照射野領域から被写体が存在する被写体領域を抽出する第１抽出手段と、 
前記第１フレーム画像の直後の第２フレーム画像において、当該第２フレーム画像内における前記被写体領域に対応する領域から、画像の特徴を示す第１特徴量を算出する対象となる関心領域を抽出する第２抽出手段と、 
前記第２フレーム画像の直後の第３フレーム画像において、当該第３フレーム画像内における前記関心領域に対応する領域から、前記第３フレーム画像の関心領域の前記第１特徴量を算出する第１算出手段と、 
前記第１算出手段により算出された前記第１特徴量に基づいて、前記動画像のフレーム画像を処理する画像処理手段と、
を備えることを特徴とする放射線画像処理装置。
【請求項１６】
放射線画像処理装置の制御方法であって、
第１抽出手段が、被写体に放射線を照射して得られる動画像に含まれる第１フレーム画像における放射線の照射野領域から被写体が存在する被写体領域を抽出する第１抽出工程と、
第２抽出手段が、前記第１フレーム画像の直後の第２フレーム画像において、当該第２フレーム画像内における前記被写体領域に対応する領域から、画像の特徴を示す第１特徴量を算出する対象となる関心領域を抽出する第２抽出工程と、 
第１算出手段が、前記第２フレーム画像の直後の第３フレーム画像において、当該第３フレーム画像内における前記関心領域に対応する領域から、前記第３フレーム画像の関心領域の前記第１特徴量を算出する第１算出工程と、 
画像処理手段が、前記第１算出工程により算出された前記第１特徴量に基づいて、前記動画像のフレーム画像を処理する画像処理手段と、
を備えることを特徴とする放射線画像処理装置の制御方法。
【請求項１７】
請求項１６に記載の放射線画像処理装置の制御方法の各工程をコンピュータに実行させるためのプログラム。
【手続補正２】
【補正対象書類名】明細書
【補正対象項目名】００１５
【補正方法】変更
【補正の内容】
【００１５】
上記の目的を達成する本発明に係る放射線画像処理装置は、
被写体に放射線を照射して得られる動画像を構成する第１フレーム画像における放射線の照射野領域から被写体が存在する被写体領域を抽出する第１抽出手段と、
前記第１フレーム画像の直後の第２フレーム画像において、当該第２フレーム画像内における前記被写体領域に対応する領域から、画像の特徴を示す第１特徴量を算出する対象となる関心領域を抽出する第２抽出手段と、
前記第２フレーム画像の直後の第３フレーム画像において、当該第３フレーム画像内における前記関心領域に対応する領域から、前記第３フレーム画像の関心領域の前記第１特徴量を算出する第１算出手段と、
前記第１算出手段により算出された前記第１特徴量に基づく制御信号を出力する出力手段と、
を備えることを特徴とする。
【手続補正３】
【補正対象書類名】明細書
【補正対象項目名】発明の名称
【補正方法】変更
【補正の内容】
【発明の名称】放射線画像処理装置、放射線画像処理装置の制御方法、放射線撮影システムおよびプログラム